【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
通知されるべきマルチメディア・ブロードキャスト／マルチキャスト・サービス（MBMS）ベアラ・サービスを少なくとも部分的に特定する事前通知情報を得るステップと；
前記事前通知情報を少なくとも１つの移動局に送信するステップと；
を含む方法。
【請求項２】
前記事前通知情報は、テンポラリー・モバイル・グループ識別子（TMGI）の少なくとも一部分を含む、請求項１に記載の方法。
【請求項３】
前記事前通知情報で送信される前記TMGIの前記少なくとも一部分はパブリック・ランド・モバイル・ネットワーク（PLMN）情報を含まない、請求項２に記載の方法。
【請求項４】
前記TMGIは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項２に記載の方法。
【請求項５】
前記MCC/MNCはPLMN IDを含む、請求項４に記載の方法。
【請求項６】
前記事前通知情報で送信される前記TMGIの前記少なくとも一部分は、前記MCC/MNCと前記ローカルMBMS ベアラ・サービス識別子とを含む、請求項４に記載の方法。
【請求項７】
前記MCC/MNCはPLMN IDを含む、請求項６に記載の方法。
【請求項８】
通知されるべき前記MBMSベアラ・サービスのためのMBMSセッションの識別子を送信するステップを更に含む、請求項１から７のいずれかに記載の方法。
【請求項９】
前記方法はアクセス・ポイント・ノードで実行される、請求項１から８のいずれかに記載の方法。
【請求項１０】
プロセッサにより実行されるときに；
通知されるべきマルチメディア・ブロードキャスト／マルチキャスト・サービス（MBMS）ベアラ・サービスを少なくとも部分的に特定する事前通知情報を得ることと；
前記事前通知情報を少なくとも１つの移動局に送信することと；
を含む機能を生じさせる、コンピュータ・プログラム。
【請求項１１】
前記事前通知情報は、テンポラリー・モバイル・グループ識別子（TMGI）の少なくとも一部分を含む、請求項１０に記載のコンピュータ・プログラム。
【請求項１２】
前記事前通知情報で送信される前記TMGIの前記少なくとも一部分はパブリック・ランド・モバイル・ネットワーク（PLMN）情報を含まない、請求項１１に記載のコンピュータ・プログラム。
【請求項１３】
前記ＴＭＧＩは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項１１に記載のコンピュータ・プログラム。
【請求項１４】
前記MCC/MNCはPLMN IDを含む、請求項１３に記載のコンピュータ・プログラム。
【請求項１５】
前記事前通知情報で送信される前記TMGIの前記少なくとも一部分は、前記MCC/MNCと前記ローカルMBMS ベアラ・サービス識別子とを含む、請求項１３に記載のコンピュータ・プログラム。
【請求項１６】
前記MCC/MNCはPLMN IDを含む、請求項１５に記載のコンピュータ・プログラム。
【請求項１７】
前記機能は：
通知されるべき前記MBMSベアラ・サービスのためのMBMSセッションの識別子を送信することを更に含む、請求項１０から１６のいずれかに記載のコンピュータ・プログラム。
【請求項１８】
前記コンピュータ・プログラムは、アクセス・ポイント・ノードのプロセッサにより実行される、請求項１０から１７のいずれかに記載のコンピュータ・プログラム。
【請求項１９】
通知されるべきマルチメディア・ブロードキャスト／マルチキャスト・サービス（MBMS）ベアラ・サービスを少なくとも部分的に特定する事前通知情報を得るように構成されたプロセッサと；
前記事前通知情報を少なくとも１つの移動局に送信するように構成されたトランスミッターと；
を含む装置。
【請求項２０】
前記事前通知情報は、テンポラリー・モバイル・グループ識別子（TMGI）の少なくとも一部分を含む、請求項１９に記載の装置。
【請求項２１】
前記事前通知情報で送信される前記TMGIの前記少なくとも一部分はパブリック・ランド・モバイル・ネットワーク（PLMN）情報を含まない、請求項２０に記載の装置。
【請求項２２】
前記TMGIは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項２０に記載の装置。
【請求項２３】
前記MCC/MNCはPLMN IDを含む、請求項２２に記載の装置。
【請求項２４】
前記事前通知情報で送信される前記TMGIの前記少なくとも一部分は、前記MCC/MNCと前記ローカルMBMS ベアラ・サービス識別子とを含む、請求項２２に記載の装置。
【請求項２５】
前記MCC/MNCはPLMN IDを含む、請求項２４に記載の装置。
【請求項２６】
前記トランスミッターは、通知されるべき前記MBMSベアラ・サービスのためのMBMSセッションの識別子を送信するように更に構成されている、請求項１９から２５のいずれかに記載の装置。
【請求項２７】
前記装置は、前記少なくとも１つの移動局を含む無線通信ネットワークのアクセス・ポイント・ノードを含む、請求項１９から２６のいずれかに記載の装置。
【請求項２８】
前記無線通信ネットワークは、汎ヨーロッパデジタル移動通信システム（GSM）高度データGSM環境無線アクセス・ネットワークを含む、請求項２７に記載の装置。
【請求項２９】
通知されるべきマルチメディア・ブロードキャスト／マルチキャスト・サービス（MBMS）ベアラ・サービスを少なくとも部分的に特定する事前通知情報を得るための手段と；
前記事前通知情報を少なくとも１つの移動局に送信するための手段と；
を含む装置。
【請求項３０】
前記事前通知情報は、テンポラリー・モバイル・グループ識別子（TMGI）の少なくとも一部分を含み、前記TMGIは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項２９に記載の装置。
【請求項３１】
前記得るための手段はプロセッサを含み、前記送信するための手段はトランスミッターを含む、請求項２９または３０に記載の装置。
【請求項３２】
通知されるべきマルチメディア・ブロードキャスト／マルチキャスト・サービス（MBMS）ベアラ・サービスを少なくとも部分的に特定する事前通知情報を移動局（MS）により受信するステップと；
前記事前通知情報が前記MSにより受信されるべきMBMSセッションのためのMBMSベアラ・サービスを特定するか否かを判定するステップと；
を含む方法。
【請求項３３】
前記事前通知情報は、テンポラリー・モバイル・グループ識別子（TMGI）の少なくとも一部分を含む、請求項３２に記載の方法。
【請求項３４】
前記事前通知情報で送信される前記TMGIの前記少なくとも一部分はパブリック・ランド・モバイル・ネットワーク（PLMN）情報を含まない、請求項３３に記載の方法。
【請求項３５】
前記TMGIは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項３３に記載の方法。
【請求項３６】
前記MCC/MNCはPLMN IDを含む、請求項３５に記載の方法。
【請求項３７】
前記事前通知情報で送信される前記TMGIの前記少なくとも一部分は、前記MCC/MNCと前記ローカルMBMS ベアラ・サービス識別子とを含む、請求項３５に記載の方法。
【請求項３８】
通知されるべき前記MBMSベアラ・サービスのためのMBMSセッションの識別子を受信するステップを更に含む、請求項３２から３７のいずれかに記載の方法。
【請求項３９】
前記事前通知情報が前記MSにより受信されるべきMBMSセッションのためのMBMSベアラ・サービスを特定すると判定したことに応答して、付加的なメッセージを読むステップを更に含む、請求項３２から３８のいずれかに記載の方法。
【請求項４０】
前記事前通知情報が前記MSにより受信されるべきMBMSセッションのためのMBMSベアラ・サービスを特定しないと判定したことに応答して、付加的なメッセージを読まないステップを更に含む、請求項３２から３９のいずれかに記載の方法。
【請求項４１】
或るMBMSセッションに加わることを前記MSにより要求するステップと；前記或るMBMSセッションのためのページング・グループを前記MSにより監視するステップとを更に含む、請求項３２から４０のいずれかに記載の方法。
【請求項４２】
前記ページング・グループはMBMS特有のページング・グループを含む、請求項４１に記載の方法。
【請求項４３】
移動局（MS）のプロセッサにより実行されると：
通知されるべきマルチメディア・ブロードキャスト／マルチキャスト・サービス（MBMS）ベアラ・サービスを少なくとも部分的に特定する事前通知情報を前記MSにより受信することと；
前記事前通知情報が前記MSにより受信されるべきMBMSセッションのためのMBMSベアラ・サービスを特定するか否かを判定することと；
を含む機能を生じさせるコンピュータ・プログラム。
【請求項４４】
前記事前通知情報は、テンポラリー・モバイル・グループ識別子（TMGI）の少なくとも一部分を含む、請求項４３に記載のコンピュータ・プログラム。
【請求項４５】
前記事前通知情報で送信される前記TMGIの前記少なくとも一部分はパブリック・ランド・モバイル・ネットワーク（PLMN）情報を含まない、請求項４４に記載のコンピュータ・プログラム。
【請求項４６】
前記TMGIは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項４４に記載のコンピュータ・プログラム。
【請求項４７】
前記MCC/MNCはPLMN IDを含む、請求項４６に記載のコンピュータ・プログラム。
【請求項４８】
前記事前通知情報で送信される前記TMGIの前記少なくとも一部分は、前記MCC/MNCと前記ローカルMBMS ベアラ・サービス識別子とを含む、請求項４６に記載のコンピュータ・プログラム。
【請求項４９】
前記機能は、通知されるべき前記MBMSベアラ・サービスのためのMBMSセッションの識別子を受信することを更に含む、請求項４３から４８のいずれかに記載のコンピュータ・プログラム。
【請求項５０】
前記機能は、前記事前通知情報が前記MSにより受信されるべきMBMSセッションのためのMBMSベアラ・サービスを特定すると判定したことに応答して、付加的なメッセージを読むことを更に含む、請求項４３から４９のいずれかに記載のコンピュータ・プログラム。
【請求項５１】
前記機能は、前記事前通知情報が前記MSにより受信されるべきMBMSセッションのためのMBMSベアラ・サービスを特定しないと判定したことに応答して、付加的なメッセージを読まないことを更に含む、請求項４３から５０のいずれかに記載のコンピュータ・プログラム。
【請求項５２】
前記機能は、或るMBMSセッションに加わることを要求することと、前記或るMBMSセッションのためのページング・グループを監視することと、を更に含む、請求項４３から５１に記載のコンピュータ・プログラム。
【請求項５３】
前記ページング・グループはMBMS特有のページング・グループを含む、請求項５２に記載のコンピュータ・プログラム。
【請求項５４】
通知されるべきマルチメディア・ブロードキャスト／マルチキャスト・サービス（MBMS）ベアラ・サービスを少なくとも部分的に特定する事前通知情報を受信するように構成されたレシーバーと；
前記事前通知情報が当該装置により受信されるべきMBMSセッションのためのMBMSベアラ・サービスを特定するか否かを判定するように構成されたコントロール・ユニットと；
を含む装置。
【請求項５５】
前記事前通知情報は、テンポラリー・モバイル・グループ識別子（TMGI）の少なくとも一部分を含む、請求項５４に記載の装置。
【請求項５６】
前記事前通知情報で送信される前記TMGIの前記少なくとも一部分はパブリック・ランド・モバイル・ネットワーク（PLMN）情報を含まない、請求項５５に記載の装置。
【請求項５７】
前記TMGIは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項５５に記載の装置。
【請求項５８】
前記MCC/MNCはPLMN IDを含む、請求項５７に記載の装置。
【請求項５９】
前記事前通知情報で送信される前記TMGIの前記少なくとも一部分は、前記MCC/MNCと前記ローカルMBMS ベアラ・サービス識別子とを含む、請求項５７に記載の装置。
【請求項６０】
前記レシーバーは、通知されるべき前記MBMSベアラ・サービスのためのMBMSセッションの識別子を受信するように更に構成されている、請求項５４から５９のいずれかに記載の装置。
【請求項６１】
前記装置は、前記事前通知情報が前記装置により受信されるべきMBMSセッションのためのMBMSベアラ・サービスを特定すると前記コントロール・ユニットが判定したことに応答して、付加的なメッセージを読むように構成されている、請求項５４から６０のいずれかに記載の装置。
【請求項６２】
前記装置は、前記事前通知情報が前記装置により受信されるべきMBMSセッションのためのMBMSベアラ・サービスを特定しないと前記コントロール・ユニットが判定したことに応答して、付加的なメッセージを読まないように構成されている、請求項５４から６１のいずれかに記載の装置。
【請求項６３】
前記コントロール・ユニットは、或るMBMSセッションに加わることを要求し、前記或るMBMSセッションのためのページング・グループを監視するように更に構成されている、請求項５４から６２のいずれかに記載の装置。
【請求項６４】
前記ページング・グループはMBMS特有のページング・グループを含む、請求項６３に記載の装置。
【請求項６５】
前記装置は移動局を含む、請求項５４から６４いずれかに記載の装置。
【請求項６６】
通知されるべきマルチメディア・ブロードキャスト／マルチキャスト・サービス（MBMS）ベアラ・サービスを少なくとも部分的に特定する事前通知情報を受信するための手段と；
前記事前通知情報が当該装置により受信されるべきMBMSセッションのためのMBMSベアラ・サービスを特定するか否かを判定するための手段と；
を含む装置。
【請求項６７】
前記事前通知情報は、テンポラリー・モバイル・グループ識別子（TMGI）の少なくとも一部分を含み、前記TMGIは、世界的に一意のモバイル・カントリー・コード／モバイル・ネットワーク・コード（MCC/MNC）と、対応するパブリック・ランド・モバイル・ネットワーク（PLMN）内で一意のローカルMBMSベアラ・サービス識別子とを含む、請求項６６に記載の装置。
【請求項６８】
前記受信するための手段はレシーバーを含み、前記判定するための手段はコントロール・ユニット又はプロセッサを含む、請求項６６または６７に記載の装置。